(57)【要約】【課題】縁部付近を固定した場合に、構造部分の亀裂による欠陥のリスクを減少させる固定装置を提案する。【解決手段】構造部分（２）が、固定部（４）の領域に材料接続的に取り付けられた補強部（８）を有しているようにした。【選択図】図１
2007224712.tif 000002
【特許請求の範囲】
【請求項１】
石状の構造部分（２）の縁部に設けられる固定装置であって、構造部分（２）の縁部付近の固定部（４）を備えている形式のものにおいて、構造部分（２）が、固定部（４）の領域に材料接続的に取り付けられた補強部（８）を有していることを特徴とする、固定装置。
【請求項２】
補強部（８）が繊維補強部を有している、請求項１記載の固定装置。
【請求項３】
補強部（８）が構造部分（２）の縁部（５，６）まで達している、請求項１記載の固定装置。
【請求項４】
補強部（８）が、固定部（４）の取り付けられた固定面（２）に隣接した、構造部分（２）の縁面（６）にまで達している、請求項３記載の固定装置。
【請求項５】
補強部（８）が、固定部（４）から出発して構造部分（２）の縁部（５，６）から離反して延びている、請求項１記載の固定装置。
【請求項６】
構造部分（２）の縁部付近の固定部（４）を備えた、石状の構造部分（２）の縁部に設けられる固定装置の製作法において、固定部（４）を構造部分（２）の縁部付近に取り付け、固定部（４）の領域で補強部（８）を材料接続的に構造部分（２）に取り付けることを特徴とする、固定装置の製作法。
【発明の詳細な説明】
【技術分野】
【０００１】
本発明は、石状の構造部分の縁部に設けられる固定装置であって、構造部分の縁部付近の固定部を備えている形式のものに関する。更に本発明は、構造部分の縁部付近の固定部を備えた、石状の構造部分の縁部に設けられる固定装置の製作法に関する。「石状の」とは、石、煉瓦、コンクリート及び発泡コンクリート等から成る材料のことを指しているが、特にコンクリートである。「構造部分」という言葉により、固定が構造物において行われるということを表している。本発明の説明はコンクリートに関して行われるが、本発明はこの材料に限定されるものではない。
【背景技術】
【０００２】
建築部材を例えばだぼ又はアンカを用いて構造部分の孔に固定する、即ち構造部分内に固定することは公知である。固定部が横方向負荷された場合に生じる可能性のある欠陥は、構造部分の亀裂である。特に、縁部付近の固定部の場合は、構造部分の亀裂の危険性が高い。縁部から十分な距離をおいて固定することにより、構造部分の亀裂による欠陥のリスクは回避されるか、いずれにしろ低下される。構造部分の亀裂のリスクは、開きだぼを用いた固定の場合に、開き力に基づいて特に大きい。開き圧力フリーの固定部の方がより有利ではあるが、一般にはより手間がかかる。大きな横方向力を伴う縁部付近の固定部の典型的な用途は、手すりの固定部である。
【発明の開示】
【発明が解決しようとする課題】
【０００３】
本発明の課題は、縁部付近を固定した場合に、構造部分の亀裂による欠陥のリスクを減少させる固定装置を提案することである。
【課題を解決するための手段】
【０００４】
この課題を解決するために本発明では、構造部分が、固定部の領域に材料接続的に取り付けられた補強部を有しているようにした。更に本発明では、固定部を構造部分の縁部付近に取り付け、固定部の領域で補強部を材料接続的に構造部分に取り付けるようにした。
【発明の効果】
【０００５】
本発明による固定装置は、例えば接着により材料接続的に構造部分の固定部の領域に取り付けられた補強部を有している。この補強部は、固定部に作用する横方向力と、場合によっては構造部分内での固定部の開き作用とに基づいて作用する、構造部分の引張り力を吸収する。構造部分内の引張り応力延いては亀裂の危険性が減少されている。補強部と構造部分との間の材料接続は、構造部分内で作用する力の補強部への伝達及びその逆の伝達を補強部の全面にわたって分散させるので、力伝達に関して有利であると見なされる。更に、補強部を孔又は構造部分のその他の弱化部無しで取り付けることが可能である。本発明による固定装置は勿論、２つの縁部が互いにぶつかり合う構造部分の角隅領域でも可能である。
【０００６】
本発明の有利な構成では、補強部として繊維補強部が設けられている。例えば、繊維マット（スクリム、織布、メッシュ生地、ニット生地等）が構造部分に接着されている。特に、構造部分の縁部に対して横方向の繊維方向が規定されている。繊維補強部によって、補強部の高い耐引張り負荷能力が得られる。更に、繊維補強部は構造部分の表面に適合している。
【０００７】
有利には、補強部は所定の方向で固定部から構造部分の縁部まで達しており且つ／又は前記方向とは別の方向で、構造部分の縁部から内側に向かって延在している。大幅に内側に達する大面積の補強部によって、構造部分の亀裂の危険が減少される。本発明の別の有利な構成では、補強部が構造部分の縁部のエッジをめぐって固定面に隣接した縁面に到達する。固定面は、固定部が取り付けられた面である。補強部が縁面にも取り付けられ且つ固定面に到達することに基づいて、構造部分の亀裂の危険は更に低下される。
【０００８】
請求項６の特徴部に記載の本発明による方法では、補強部を、構造部分の固定部を取り囲む領域に取り付け、例えば接着し、構造部分に設けられた補強部に固定部を取り付ける。必然ではないが有利には、最初に補強部を取り付けてから固定部を取り付ける。
【発明を実施するための最良の形態】
【０００９】
以下に、本発明を実施するための最良の形態を図面につき詳しく説明する。
【００１０】
図１に示した本発明による固定装置1は、構造部分２の縁部に配置されている。この構造部分２はコンクリートから成っており、このコンクリートは補強されていてよい。構造部分2は、例えばバルコニーパネル又はテラスパネル、或いは屋根から壁面への移行部であってよい。以下、本発明を説明するために構造部分２の上面を固定面３と呼ぶ。なぜならば、この固定面３に固定部４が本発明に基づいて取り付けられているからである。縁部５を介して隣接する構造部分２の面は、以下縁面６と呼ぶ。縁部５及び縁面６は、固定面３及び構造部分２の1縁部を成している。
【００１１】
固定部4は、ねじ山付きロッドの形のアンカ７を有している。このアンカ７は、構造部分２に設けられた孔（図示せず）に合成樹脂モルタルによって固定されている、即ち材料接続的に固定されている。基本的に、例えば（開き）だぼ又はアンダカット付きアンカを備えた別の固定部も可能である（図示せず）。固定部は縁部付近、即ち縁部からの距離が約３０ｍｍ〜５０ｍｍの所に配置されている。縁部からの距離がより大きな場合（又はより小さな場合）でも、本発明による固定装置は可能である。本発明の意味での縁部付近とは、縁部からの絶対距離を指すよりもむしろ、アンカ７の横方向負荷に際する構造部分２の亀裂の危険性によって規定されている、つまり、アンカ７による横方向負荷に基づいて破片がアンカ７と共に構造部分２から脱落する危険性によって規定されている。この危険性は、縁部からの距離が大きな場合は生じないか、いずれにしろ極めて低い。
【００１２】
固定部４の領域では、補強部８が材料接続的に構造部分２に取り付けられている。補強部８は繊維補強部であり、この繊維補強部は繊維マット（繊維スクリム）９を有している。繊維は例えばガラス繊維、炭素繊維、プラスチック繊維又は金属繊維であってよい。繊維マット９は固定部４を取り囲んで、縁部５で構造部分２の縁面６に向かって折り曲げられている。固定面３において繊維マット９は縁部５から、つまり構造部分２の縁部から固定部４を越えて内側に達している。繊維マット９には合成樹脂モルタル１０が浸透しており、この合成樹脂モルタル１０によって繊維マット９は構造部分２と材料接続的に結合されている。固定部４が構造部分２の角隅部に位置している場合は、補強部８が固定面３から、当該角隅部を形成する２つの隣接した縁面へと載置され且つ接着される（図示せず）。固定部４は、例えば手すり（図示せず）を固定するために役立ち、縁部に対して横方向又は縁部から離反する方向に向けられた横方向負荷に晒されていてよい。補強部８は、固定部４のこのような横方向負荷に際して、構造部分２の亀裂のリスクを低下させる。固定部４は、構造部分２の縁部付近に配置可能である。
【００１３】
固定装置１の製作は、本発明では繊維マット９を固定面３と縁面６とに接着し、アンカロッド７用の孔を穿孔し、このアンカロッド７を合成樹脂モルタルで以て孔に固定することにより行われる。逆に、最初に固定部４を製作してから、補強部８を構造部分２に接着してもよい。有利には、補強部８の繊維が縁部５に対して、つまり構造部分２の縁部に対してほぼ直角に延在するように、繊維方向が選択される。
【図面の簡単な説明】
【００１４】
【図１】本発明による固定装置の斜視図である。
【符号の説明】
【００１５】
１  固定装置、  ２  構造部分、  ３  固定面、  ４  固定部、  ５  縁部、  ６  縁面、  ７  アンカ、８  補強部、９  繊維マット、  １０  合成樹脂モルタル
【図１】
2007224712.tif 000003